(57)【特許請求の範囲】
【請求項１】
扉の側面周囲を枠体で構成し、その前部に該枠体で支持されるガラス板を有する扉を備えた冷蔵庫であって、
前記枠体は、
いずれかの一辺に凹部を形成され、該凹部前面に前記ガラス板の端部を張り出して設けて形成した手を挿入するための凹所空間及び手掛け部と、
前記ガラス板と接着される接着面拡張部材と、を備える
ことを特徴とする冷蔵庫。
【請求項２】
扉の側面周囲を枠体で構成し、その前部に該枠体で支持されるガラス板を有する扉を備えた冷蔵庫において、
前記枠体は、
いずれかの一辺に手を挿入するための凹部と、前記ガラス板と接着される接着面拡張部材と、を備え
前記ガラス板は、前記凹部の一部を露出する切欠部を備え、かつ、この切欠部の両側は前記枠体の一辺に支持される
ことを特徴とする冷蔵庫。
【請求項３】
前記請求項１または２記載の冷蔵庫において、
前記ガラス板の横幅寸法は、前記扉の横幅寸法よりも小さくした
ことを特徴とする冷蔵庫。
【請求項４】
前記請求項２記載の冷蔵庫において、
前記ガラス板は、前記枠体の一辺と、この一辺と対向する他の一辺で支持される
ことを特徴とする冷蔵庫。
【請求項５】
前記請求項４記載の冷蔵庫において、
前記凹部は、前記ガラス板の上部を支持する前記枠体の一辺に形成され、
前記ガラス板の両端部は、扉の両端部より内側に取り付けられる
ことを特徴とする冷蔵庫。
【請求項６】
前記請求項４記載の冷蔵庫において、
前記凹部は、前記ガラス板の上部を支持する前記枠体の一辺に形成され、
前記枠体の一方の側板は透明な樹脂材料で前記ガラス板の一端を支持し、
前記枠体の他方の側板は扉の側方に回り込んで形成される前記ガラス板の他端を支持する
ことを特徴とする冷蔵庫。
【請求項７】
前記請求項４記載の冷蔵庫において、
前記凹部は、前記ガラス板の上部を支持する前記枠体の一辺に形成され、
前記枠体の両側の側板は扉の側方に回り込んで形成される前記ガラス板の他端を支持する
ことを特徴とする冷蔵庫。
【請求項８】
前記請求項１から７記載の何れかの冷蔵庫において、
前記ガラス板は、前記凹部に張り出した部分以外の裏面に塗装面を備えている
ことを特徴とする冷蔵庫。
【発明の詳細な説明】
【技術分野】
【０００１】
本発明は、ドアの表面にガラス素材を備えた冷蔵庫に関するものである。
【背景技術】
【０００２】
近年、冷蔵庫の開閉ドアの表面にガラス素材を備えたものが商品化されている。これら従来の冷蔵庫は、ガラス素材の裏面に多様な印刷を施すことで、キッチンのインテリアに調和させることができるとともに、表面がガラス素材特有の光沢面で形成されていることから高級感のあるデザイン性に優れた冷蔵庫を提供することができる。
【０００３】
これらガラス素材を扉に用いた冷蔵庫は、平板状のガラス板の周囲を枠体で支持する構造を採用している。しかし、近年では、曲面ガラス板を採用したものも提案されている。
【０００４】
また、冷蔵庫は、回動して開くように設けられた開閉扉や引出扉を開閉するためにドア面にハンドル部を設けるのが一般的である。例えば、従来のサイドバイサイド型冷蔵庫では、棒状のハンドル部を冷蔵庫の中央に縦長の姿勢で配置している。また、最上部の前面に中央から左右両側に回動して開く観音開きの開閉扉を配置し、その下方に引出扉を上下に配列した冷蔵庫においては、各引出扉のガラス板を保持する枠体を幅広く形成し、この枠体の上面部に凹状に凹んだ埋込みハンドルを設けている。
【先行技術文献】
【特許文献】
【０００５】
【特許文献１】特開２０１０−７１５６５号公報
【特許文献２】韓国公開１０−２００６−１０８３９２号公報
【特許文献３】登録意匠第１３６３９１１号公報
【発明の概要】
【発明が解決しようとする課題】
【０００６】
強化ガラスのようなガラス素材は、裏面塗装を施して多様な表現が出来るのに加えて、表面に光沢があるため、意匠性に優れた冷蔵庫として高級タイプの冷蔵庫に採用されている。しかし、冷蔵庫においては、回動して開く開閉扉や引出扉を開閉するために、ハンドル部が必要である。そこで、このガラスの素材感を崩さないように、各引出扉の上段のガラス板を保持する枠体を幅広く形成し、この枠体の上面部に凹状に形成したハンドル部を設けている。しかし、この幅広でかつ凹凸のある枠体は、光沢処理のガラス素材とは異質の樹脂材料で形成されているために、連続するガラス素材のデザイン性を崩してしまうという問題が課せられる。
【０００７】
そこで、この発明の目的（課題）とするところは、扉の開閉機能を損なうことなくガラス素材の連続感を生かしたデザイン性に優れた冷蔵庫を提供することにある。
【課題を解決するための手段】
【０００８】
前記目的を達成するために、この発明に係る冷蔵庫においては、扉の側面周囲を枠体で構成し、その前部に該枠体で支持されるガラス板を有する扉を備えた冷蔵庫であって、前記枠体は、いずれかの一辺に凹部を形成され、該凹部前面に前記ガラス板の端部を張り出して設けて形成した手を挿入するための凹所空間及び手掛け部と、前記ガラス板と接着される接着面拡張部材と、を備える。
【発明の効果】
【０００９】
この発明によれば、枠体の凹部前面側に張り出したガラス板の端部を手掛け部として扉の開放操作に活用することができ、かつ、扉の前部を覆うガラス板の面積を広くすると共にハンドル部における枠体を外観表面に露出させないようにすることができるから、扉の開閉機能を損なうことなくガラス素材の連続感を生かしたデザイン性に優れた冷蔵庫を提供することができる。
【図面の簡単な説明】
【００１０】
【図１】この発明に係る第１実施例の冷蔵庫の概略構成図である。
【図２】この発明に係る第１実施例の冷蔵庫の縦断面図である。
【図３】この発明に係る第２実施例の冷蔵庫の概略構成図である。
【図４】この発明に係る第２実施例の冷蔵庫の引出扉の部品展開図である。
【図５】この発明に係る第２実施例の冷蔵庫の強化ガラス板の梱包時の参考図である。
【図６】この発明に係る第３実施例の冷蔵庫の概略構成図である。
【図７】この発明に係る第３実施例の冷蔵庫の引出扉の部品展開図である。
【図８】この発明に係る第３実施例の冷蔵庫の開閉動作の参考図である。
【発明を実施するための形態】
【００１１】
以下、図１から図８を参照して、この発明に係る冷蔵庫を具体的に説明する。ここで、図１と図２が第１実施例に係る冷蔵庫を示し、図３から図５が第２実施例を示し、図６から図８が第３実施例を示している。なお、同様な部位や矢印などは同一符号をもって示して、重複した説明を省略する。
（第１実施例）
先ず、図１を参照して、この実施例に係る冷蔵庫の概略構造を説明する。ここで、図１は第１実施例に係る冷蔵庫の概略構造図であり、（ａ）図が冷蔵庫の正面図、（ｂ）図が冷蔵庫の縦断面図、（ｃ）図が観音扉の横断面図である。
【００１２】
図１において、この第１実施例に係る冷蔵庫１は、最上部に中央から左右両側に回動して開く観音開きの開閉扉１０を備え冷蔵室１００を配置し、その下方に引出扉５０、５１を備えて構成される第２冷凍室１１０と製氷室１２０を左右に並べて配置し、その下方に引出扉５２を備えた第１冷凍室１３０を配置し、最下部に引出扉５３を備えた野菜室１４０を配置した大容量の冷蔵庫である。この冷蔵庫１の開閉扉１０と各引出扉５０から５３は、その前面を斜線部で示した強化ガラス板１５０で覆い、この強化ガラス板１５０を枠体１６０で保持した構造を備えている。
【００１３】
この実施例の観音扉の開閉扉１０は、一方の開閉扉１０ａが他方の開閉扉１０ｂより細く形成され、この一対の開閉扉１０は冷蔵庫１の両側の上下端部に設けたヒンジ機構１１により、左右両側に回動して開放可能に取り付けられている。また、引出扉５０から５３は、図示しない公知のスライド機構部により前後方向に開閉可能に取り付けられている。
【００１４】
また、この実施例の開閉扉１０と各引出扉５０から５３は、扉の前部を覆う強化ガラス板１５０と、扉の内壁面を覆う内壁カバー１７０と、扉の側面周囲を覆う枠体１６０とで箱体を構成し、この中に真空断熱材１８０を内蔵させて、断熱材１９０を発泡充填する構造を備えている。具体的には、強化ガラス板１５０の裏面側に板状の真空断熱材１８０を取り付け、この周囲を上枠１６１と下枠１６２と両側の側枠１６３ａからなる枠体１６０で囲い、裏面に内壁カバー１７０を取り付けて箱体を構成する。そして、この箱体の周囲を図示しない保持手段で囲って断熱材１９０を充填する。これにより、断熱効果が高く、意匠的にも優れた扉を形成している。
【００１５】
そして、この実施例に係る冷蔵庫１の大きな特徴の１つは、斜線部で示した強化ガラス板１５０にハンドル部の機能を持たせた点にある。
【００１６】
即ち、ガラス素材は、その表面が光沢面を備えているため、高級感あるデザインとすることができる。したがって、このガラス素材を冷蔵庫１の扉面全体に設ければ、連続したガラス素材で冷蔵庫１を飾ることができるから、デザイン性を向上することができる。
【００１７】
しかし、ガラス素材は強度の関係からある程度の肉厚が必要であるから重量が大きくなる。そこで、このガラス素材を扉に固定するための枠体１６０が必要となる。この枠体１６０は、この冷蔵庫１が設置される台所の家具でも扉の側面周囲を囲う装飾部材として広く採用されていることから、細く形成するなどして、周囲の環境と馴染ませることができる。
【００１８】
しかし、冷蔵庫１においては、開閉扉１０や引出扉５０から５３を開閉するためにハンドル部が必要である。特に、冷蔵庫１の扉は、断熱材１９０を備えていたり、あるいは食品を収納しているために、そのハンドル部は堅牢である必要がある。このため、この従来のハンドル部は、棒状の握り部を扉面から突出させて設けたり、あるいは、扉面の枠体１６０の一部や一辺を幅広く形成し、この枠体１６０に手を挿入するための凹部を形成するのが一般的である。
【００１９】
したがって、扉の表面をガラス素材で覆った従来の冷蔵庫は、ハンドル部を備えた幅広の枠体１６０で分断されてしまう課題がある。しかも、ハンドル部が設けられる枠体１６０は樹脂成型品で形成されているために、この光沢のあるガラス素材と、これを分断する樹脂材料で形成される幅広の枠体１６０との素材感の違いが、デザインする上で制約となっていた。
【００２０】
そこで、この発明者らは、ガラス素材にハンドル部としての機能を持たせることを着想した。具体的には、枠体１６０に手を挿入するための凹部２０を形成し、この凹部２０に強化ガラス板１５０の端部を張り出して設け、この張出部を、手を掛けるための手掛け部１５１とする構造を採用した。
【００２１】
例えば、引出扉５０では、枠体１６０を構成する上枠１６１に、前方と上方にわたって連続して切り欠かれた凹部２０を形成し、この凹部２０に強化ガラス板１５０の上端部を張り出させて、凹部２０の下方を覆う構造とした。この構造によれば、利用者は、凹部２０の上方から指を挿入して、凹部２０の下方に張り出して形成される強化ガラス板１５０の手掛け部１５１に指を引っ掛けて、手前に引くことで引出扉５０を引き出すことができる。
【００２２】
しかも、強化ガラス板１５０の端部を手掛け部１５１とすることで、強化ガラス板１５０のドア面に占める大きさを拡張することができる。加えて、凹部２０は、手掛け部１５１に隣接して形成されるが、強化ガラス板１５０より奥まった位置に設けられるため、その存在を利用者に認識し難くすることができる。
【００２３】
この実施例では、引出扉５０のハンドル部の構造を、他の引出扉５１から５３でも採用している。更に、観音開きの開閉扉１０でも採用している。
【００２４】
つまり、一対の開閉扉１０ａ、１０ｂは、隣接する枠体１６０の側枠１６３ａに、その辺方向に沿って凹部２０を形成し、凹部２０に張り出すように開閉扉１０の強化ガラス板１５０を設ける構造としている。これにより、前記引出扉５０と同様な作用効果を得ることができる。
【００２５】
また、この実施例に係る冷蔵庫１の大きな特徴の他の１つは、手掛け部１５１以外の強化ガラス板１５０の裏面に、裏面印刷を施した点にある。
【００２６】
即ち、従来から、この実施例が採用する手掛けハンドルの構造は、不透明な樹脂材料で形成するのが一般的である。しかし、この実施例では、従来にない強化ガラス板１５０をハンドル部に活用するという新規な構造をデザインに生かすために、凹部２０の前部を覆う手掛け部１５１を、裏面印刷を施すことなく透明な素材感をそのまま表現した構造とした。この構造によれば、利用者から全く視認できなかった凹部２０の内部を外から観察することができるから、内部の汚れを認識できるので、清掃性を向上することができる。更に、表面の素材感を損なうことなく、手掛け部１５１の位置を、外から利用者に認識させることができる。
【００２７】
一方、手掛け部１５１以外の強化ガラス板１５０は、裏面塗装を施すことにより、強化ガラス板１５０の裏面に張り付けた真空断熱材１８０の存在を隠蔽することができる。これにより、断熱効果を維持しつつ意匠性を向上することができる。
【００２８】
次に、図２を参照して扉構造を更に説明する。図２は引出扉５０の縦断面図であり、（ａ）図が図１に示す引出扉５０の縦断面図、（ｂ）図が他の応用例に係る引出扉５０ａの縦断面図である。
【００２９】
先ず、（ａ）図において、側枠１６３ａと１６３ｂは、上枠１６１と下枠１６２の両端と、真空断熱材１８０を内面に張り付けた強化ガラス板１５０の両端と、内壁カバー１７０の両端とを図示しない取付溝を介して連結している。また、引出扉５０の下枠１６２は、内面の前部に強化ガラス板１５０と真空断熱材１８０を取り付ける前部取付溝１６２ａと、内壁カバー１７０を保持する後部取付溝１６２ｂを備えている。また、上枠１６１は、正面上部と上面前部にかけて凹状に形成される凹部２０と、この凹部２０の下方の前部に設けられる強化ガラス板１５０を接着する接着面１６１ａと、内面後方に設けられる内壁カバー１７０を保持するための後部取付溝１６１ｂを備えている。
【００３０】
この実施例に係る引出扉５０では、強化ガラス板１５０の両端部を一対の側枠１６３ａで支持し、強化ガラス板１５０の下端部を下枠１６２で支持することができる。つまり、この実施例では、四角形状の強化ガラス板１５０の３辺を枠体１６０で支持することができるから、他の１辺を手掛け部１５１として、この手掛け部１５１に利用者が手をかけて手前に引っ張る応力に対抗する強度を得ることができる。
【００３１】
しかも、この実施例では、手掛け部１５１の下方を接着面１６１ａとして、両面テープまたは接着剤で強化ガラス板１５０と上枠１６１とを連結する構造としているので、この手掛け部１５１に利用者が手をかけて手前に引っ張る応力に更に対抗する強度を得ることができる。更に、強化ガラス板１５０の裏面は、上枠１６１に支持される真空断熱材１８０にも取り付けられているので、前記強度を強固なものとすることができる。
【００３２】
（ｂ）図において、この応用例は、利用者の手前に引っ張る応力に更に対抗する強度を得るために接着面拡張部材１６４を上枠１６１に取り付けたものである。この接着面拡張部材１６４は、接着面１６１ａに連続して取り付けられて強化ガラス板１５０と接着される。この構造によれば、枠体１６０で支持されない手掛け部１５１を広い接着面で支持することができる。
【００３３】
また、（ａ）図の実施例では、手掛け部１５１の上端部の角部を取ったり、あるいは丸み形状とすることで、利用者が手掛け部１５１に手を掛けても違和感なく保持する構造を採用している。しかし、（ｂ）図のように、手掛け部１５１の上端部に別部材のグリップ部１６５を取り付ける構造としてもよい。この構造によれば、利用者が手掛け部１５１に手を掛けても、このグリップ部１６５によって手が滑るのを軽減することができる。しかも、このグリップ部１６５に多様な色彩を施すことで、光沢感のある強化ガラス板１５０で覆われる冷蔵庫１の表面にワンポイントのデザイン的な特徴を付けることができるから、デザインの自由度を上げることができる。
（第２実施例）
次に、図３から図５を参照して、第２実施例に係る冷蔵庫２を具体的に説明する。ここで、図３は第２実施例に係る冷蔵庫の概略構造図であり、（ａ）図が冷蔵庫の正面図、（ｂ）図が冷蔵庫の縦断面図、（ｃ）図が観音扉の横断面図である。図４は引出扉の部品展開図である。図５は立体形状の強化ガラス板の梱包時の参考図である。
【００３４】
図３において、この第２実施例に係る冷蔵庫２は、貯蔵室のレイアウトや、この貯蔵室の前部を覆う開閉扉１０と引出扉５０から５３の基本的な構造と、斜線部で示した強化ガラス板１５０にハンドル部の機能を持たせた点は、前記第１実施例と同様な構造を備えているため、同一符号をもって示して重複した説明を省略する。
【００３５】
そして、この第２の実施例に係る冷蔵庫２の大きな特徴の１つは、湾曲した強化ガラス板１５０を採用した点にある。
【００３６】
前記第１実施例では、フラットな強化ガラス板１５０の側面周囲を枠体１６０で支持した平面的なデザインとしたが、この第２の実施例は、開閉扉１０と引出扉５０から５３の各扉が両側面に回り込んだ立体形状の強化ガラス板１５０を採用している。
【００３７】
この立体形状の強化ガラス板１５０を採用した扉の構造を図４に示した引出扉５０を基に先ず説明する。図４において、この実施例の引出扉５０は、引出扉５０の前部を構成する強化ガラス板１５０と、引出扉５０の内側を構成する内壁カバー１７０と、引出扉５０の両側面を構成する側枠１６３ａと１６３ｂと、引出扉５０の上下を構成する上枠１６１と下枠１６２とで箱体を構成する。
【００３８】
引出扉５０は、引出扉５１と左右に並べて配置されるため、冷蔵庫２の右側を構成する。このため、強化ガラス板１５０の右側は大きな丸みで側枠１６３ｂ側に回り込んで形成される。一方、強化ガラス板１５０の左側は、引出扉５１とフラットとなるように直線的に形成されるとともに、上部の左側は切り欠かれて手掛け部１５１が形成される。
【００３９】
即ち、この実施例では、ハンドル部を冷蔵庫２の中央寄りに形成し、その両側を強化ガラス板１５０で覆う構造としている。これに伴って、引出扉５０の右側を構成する側枠１６３ｂは、引出扉５０の左側を構成する側枠１６３ａより奥行き寸法が小さく形成される。
【００４０】
そして、側枠１６３ｂは、その前部に強化ガラス板１５０の曲がった先端部を支持する取付溝１６６ａが形成され、その内側に内壁カバー１７０を保持する取付溝１６６ｃが形成される。一方、側枠１６３ａは、その内側に強化ガラス板１５０のフラットな端部を保持する取付溝１６６ｂと、内壁カバー１７０を保持する取付溝１６６ｃが形成される。
【００４１】
また、下枠１６２は、その内側に強化ガラス板１５０と内壁カバー１７０と両側の側枠１６３ａ、１６３ｂ、の下端部を支持する取付溝１６６ｄが形成される。また、上枠１６１は、上面の左側の正面上部から上面前部にかけて凹部２０が形成され、その内側は、下枠１６２と同様な図示しない取付溝１６６ｄが形成されている。そして、凹部２０の下方の前部には、接着面１６１ａが形成される。
【００４２】
このように、この引出扉５０に採用される立体形状の強化ガラス板１５０は、その両側を側枠１６３ａと１６３ｂで支持され、上部の右側は取付溝１６６ｄで上枠１６１に支持され、上部の左側は接着面１６１ａを介して両面テープまたは接着剤で上枠１６１に支持され、下部は取付溝１６６ｄを介して下枠１６２で支持される。したがって、強化ガラス板１５０はその周囲上下を枠体１６０で支持されるので、手掛け部１５１を介しての開放動作の応力に十分に対抗できる強度を得ることができる。
【００４３】
この実施例では、他の引出扉５１から５３及び開閉扉１０もまた、前記引出扉５０と同様な構造で強化ガラス板１５０の周囲上下を枠体１６０で覆う構造としている。
【００４４】
図３に戻り、即ち、引出扉５１は、引出扉５０と左右対称の構造を備えている。また、引出扉５２と５３は、引出扉５０と５１のように左右が分割されていないため、両側が側面に回り込んだ強化ガラス板１５０を採用する。このため、両側の枠体１６０は、左右対称の側枠１６３ｂで構成する。また、手掛け部１５１は、強化ガラス板１５０の両側に肩を残して中央部を切り欠いて形成される。
【００４５】
更に、開閉扉１０は、引出扉５０と５１と同様に、左右に分割される開閉扉１０ａ、１０ｂで構成されるため、引出扉５０と左右対称な構造で形成される。ただ、開閉扉１０が引出扉５０と違うのは、強化ガラス板１５０に切り欠いて形成される手掛け部１５１を採用しない点である。即ち、この実施例のハンドル部は、下枠１６２の底面の自由端側に形成した手掛け凹部２１で構成する。この手掛け凹部２１は、引出扉５０と５１の凹部２０に指を挿入し、この挿入した指を一対の開閉扉１０の底面に設けた手掛け凹部２１に引っ掛けて手前に引いて開放する方式を採用している。
【００４６】
このため、一対の開閉扉１０の構造は、切り欠いた手掛け部１５１がない強化ガラス板１５０を採用する以外は、引出扉５０と同様な構造を採用している。
【００４７】
また、この実施例に係る冷蔵庫２の大きな特徴の他の１つは、強化ガラス板１５０を左右に分割する側枠１６３ａを透明な樹脂材料で形成した点にある。
【００４８】
即ち、この実施例では、貯蔵室の使い勝手から、冷蔵庫の上段の冷蔵室１００と、その下方の第２冷凍室１１０と製氷室１２０を左右に分割した扉を採用しているが、その下方に配置される第２冷凍室１３０と野菜室１４０は左右に分割されない扉を採用している。しかも、この実施例が採用する立体形状の強化ガラス板１５０は両側面に回り込む形状としているため、デザイン的には左右方向に流れのあるデザインを採用したい。しかし、ここでデザインの制約となるのが開閉扉１０と、引出扉５０と５１とを左右に分割する中央の側枠１６３ａである。そこで、この実施例では、強化ガラス板１５０に合わせて、この側枠１６３ａを透明樹脂材料で形成することで、このデザイン的な制約を軽減することができる。
【００４９】
図５において、この実施例では、２種類の立体形状の強化ガラス板１５０を採用する。即ち、引出扉５０、５１及び開閉扉１０が採用する(ａ)図に示す断面形状を備えた強化ガラス板１５０と、引出扉５２、５３が採用する（ｅ）図に示す断面形状を備えたものである。
【００５０】
（ｅ）図に示す強化ガラス板１５０は、両端を大きな丸み形状を備えて９０度屈曲させた形状である。したがって、この（ｅ）図の強化ガラス板１５０は、ガラス工場から組み立て工場に搬送する場合、（ｅ）図に示すように、積み重ねた梱包寸法が大きくなる。このため、搬送コストが高くなる。一方、(ａ)図に示す強化ガラス板１５０は、大きな丸み形状を備えて９０度の屈曲させた形状であるが、(ａ)図に示すように、板圧寸法で積み重ねることができるので、梱包寸法を小さくすることができる。
【００５１】
この実施例では、大きな開閉扉１０の強化ガラス板１５０を左右に２分割して、(ａ)図のように梱包寸法を小さくすることができる。合わせて、引出扉５０、５１の強化ガラス板１５０の高法寸法を小さくすることができる。これにより、搬送コストを軽減することができる。
【００５２】
また、同様な作用効果は（ｂ）図のように、片側を屈曲させたり、あるいは、（ｃ）図のように大きな円弧で形成することでも達成することができる。また、引出扉５２，５３のように両端を屈曲させる強化ガラス板１５０の場合は、（ｄ）図のように、屈曲する角度を９０度より小さくすれば同様な作用効果を得ることができる。
（第３実施例）
次に、図６から図８を参照して、第３実施例に係る冷蔵庫３を具体的に説明する。ここで、図６は第３実施例に係る冷蔵庫の概略構造図であり、（ａ）図が冷蔵庫の正面図、（ｂ）図が冷蔵庫の縦断面図、（ｃ）図が観音扉の横断面図である。図７は引出扉の部品展開図である。図８は使用状態の参考図である。
【００５３】
図６において、この第３実施例に係る冷蔵庫３は、貯蔵室のレイアウトや、この貯蔵室の前部を覆う開閉扉１０と引出扉５０から５３の基本的な構造と、斜線部で示した強化ガラス板１５０にハンドル部の機能を持たせた点は、前記第２実施例と同様な構造を備えているため、同一符号をもって示して重複した説明を省略する。
【００５４】
そして、この第３の実施例に係る冷蔵庫３の大きな特徴の１つは、フラットな強化ガラス板１５０を、扉の両側にドア面が残るように、その横幅寸法を扉寸法より小さくして取り付けた点に特徴がある。
【００５５】
前記第１実施例では、フラットな強化ガラス板１５０の周囲を枠体１６０で支持した構造としたが、この第３の実施例は、開閉扉１０と引出扉５０から５３の各扉に取り付けられる強化ガラス板１５０を上下の端部のみ枠体１６０で支持し、両側は、扉の端部より内側に取り付ける構造を採用した。これにより、強化ガラス板１５０の両端部は、強化ガラス板１５０の厚みが利用者に見えるので、ガラス板の素材感を利用者に与えることができる。更には、扉の角部に強化ガラス板１５０がないので、開閉動作などで、強化ガラス板１５０への衝撃を軽減することができる。
【００５６】
強化ガラス板１５０の厚みを感じさせる扉の構造を図７に示した引出扉５０を基に先ず説明する。図７において、この実施例の引出扉５０は、引出扉５０の前部を構成する強化ガラス板１５０と、引出扉５０の内側を構成する内壁カバー１７０と、引出扉５０の両側面を構成する側枠１６３ａと１６３ｂと、引出扉５０の上下を構成する上枠１６１と下枠１６２とで箱体を構成する。
【００５７】
この引出扉５０は、引出扉５１と左右に並べて配置されるため、冷蔵庫３の右側を構成する。このため、フラットな矩形状の強化ガラス板１５０は、上部の左側が切り欠かれて手掛け部１５１が形成される。即ち、この実施例では、ハンドル部を冷蔵庫３の中央寄りに形成し、その両側を強化ガラス板１５０で覆う構造としている。
【００５８】
また、下枠１６２は、その内側に強化ガラス板１５０と内壁カバー１７０と両側の側枠１６３ａ、１６３ｂ、の下端部を支持する取付溝１６６ｄが形成される。また、上枠１６１は、上面の左側の正面上部から上面前部にかけて凹部２０が形成され、その内側は、下枠１６２と同様な図示しない取付溝１６６ｄが形成されている。そして、凹部２０の下方の前部には、接着面１６１ａが形成される。
【００５９】
一方、側枠１６３ａと１６３ｂは、その前部が内側に屈曲して形成され、この屈曲部の前面に接着面１６１ａが形成され、内側には内壁カバー１７０を保持する取付溝１６６ｃが形成される。なお、側枠１６３ａは、上枠１６１の凹部２０を回避するために、前面上方が切り欠かれている。
【００６０】
このように、この引出扉５０に採用される強化ガラス板１５０は、上部の右側と下部全体が上枠１６１と下枠１６２の取付溝１６６ｄに支持され、両側と上部の左側とが側枠１６３ａと１６３ｂ、及び上枠１６１の接着面１６１ａに両面テープや接着剤などで固定される。したがって、強化ガラス板１５０はその周囲を枠体１６０で支持されるので、手掛け部１５１を介しての開放動作の応力に十分に対抗できる強度を得ることができる。
【００６１】
この実施例では、他の引出扉５１から５３及び開閉扉１０もまた、前記引出扉５０と同様な構造で強化ガラス板１５０の上下を枠体１６０で覆う構造としている。
【００６２】
図６に戻り、即ち、引出扉５１は、引出扉５０と左右対称の構造を備えている。また、引出扉５２と５３は、引出扉５０と５１のように左右が分割されていないため、強化ガラス板１５０は、両側に肩を残して中央部を切り欠いて手掛け部１５１が形成される。そして、この強化ガラス板１５０は、上部の両側と下部全体が上枠１６１と下枠１６２で支持され、手掛け部１５１の下部と両側は上枠１６１と側枠１６３ａ及び１６３ｂに接着される。
【００６３】
更に、開閉扉１０は、引出扉５０と５１と同様に、左右に分割される開閉扉１０ａ、１０ｂで構成されるため、引出扉５０と左右対称な構造で形成される。ただ、開閉扉１０が引出扉５０と違うのは、第２の実施例と同様に、一対の開閉扉１０の底面に設けた手掛け凹部２１に指を引っ掛けて開放する方式とした点である。
【００６４】
図８において、この実施例に係る開閉扉１０と引出扉５０から５３は、強化ガラス板１５０の両側が扉のトップ面の両側より内側に設けられているので、開閉動作に伴って、扉の両側の前部角部が障害物に当たっても、強化ガラス板１５０の両端部が直接障害物に当たるのを軽減することができる。前記したように、強化ガラス板１５０は強度的に強いガラス素材ではあるが、衝撃に弱い側面も備えているので、この課題を軽減することができる。しかも、意匠的にも、強化ガラス板１５０の両側は、その厚みが見えやすいので、ガラス素材を用いた冷蔵庫３を利用者に視覚的に認識させることができる。
（第４実施例）
各実施例ではガラス板の上下左右の側面周囲を枠体で支持するように構成したが、ガラス板の背面周囲に枠体を配置して、両者を発泡断熱材により一体に結合して扉を構成することにより、扉の外表面にガラス板を支持固定することが出来る（図示省略）。このように扉の外表面に発泡断熱材によりガラス板を支持固定することで、扉前面側から見た場合に冷蔵庫の外観に枠体が見えなくなる若しくは見え難くなることから、扉の開閉機能を損なうことなくガラス素材の連続感を上記実施例よりも更に生かしたデザイン性に優れた冷蔵庫を提供することができる。
【符号の説明】
【００６５】
１…冷蔵庫、１０…開閉扉、１０ａ…開閉扉、１０ｂ…開閉扉、１１…ヒンジ機構、２０…凹部、２１…手掛け凹部、５０、５０ａ、５１、５２、５３…引出扉、
１００…冷蔵室、１１０…第２冷凍室、１２０…製氷室、１３０…第１冷凍室、１４０…野菜室、１５０…強化ガラス板、１５１…手掛け部、１６０…枠体、１６１…上枠、１６１ａ…接着面、１６１ｂ…後部取付溝、１６２…下枠、１６２ａ…前部取付溝、１６２ｂ…後部取付溝、１６３ａ、１６３ｂ…側枠、１６４…接着面拡張部材、１６５…グリップ部、１６６…取付溝、１７０…内壁カバー、１８０…真空断熱材、１９０…断熱材、
【図４】
0005686651.tif 000002
【図５】
0005686651.tif 000003
【図７】
0005686651.tif 000004
【図８】
0005686651.tif 000005
【図１】
0005686651.tif 000006
【図２】
0005686651.tif 000007
【図３】
0005686651.tif 000008
【図６】
0005686651.tif 000009